(57)【要約】本発明は移動通信端末機に関するもので、特にカラオケ、疾病診断、皮膚美容などの付加機能のための専用回路を含むバッテリパックと着脱可能に装着される移動通信端末機に関するものである。このため、本発明は、移動通信端末機用バッテリパック装置において、直流電源を電源供給端子を介して移動通信端末機本体に供給する少なくとも一つのバッテリセルと、移動通信端末機本体側に付加機能を提供する付加回路部と、前記付加回路部の動作を制御し、外部とデータを送受信する制御部とを含み、前記制御部は、前記付加回路部を制御する付加機能処理部と、移動通信端末機本体とデータを送受信する通信インターフェース部とを含み、前記通信インターフェース部は、前記付加機能処理部が処理したデータを伝送フォーマットに構成し、外部から受信したデータを前記付加機能処理部に操作命令として供給する通信制御部と、前記通信制御部へのデータまたはそれからのデータを変復調する変復調部と、前記変調されたデータまたは復調されるデータを送受信する送受信部とを含むことを特徴とする。
2006510330.tif 000002
【特許請求の範囲】
【請求項１】
移動通信端末機用バッテリパック装置において、
直流電源を電源供給端子を介して移動通信端末機本体に供給する少なくとも一つのバッテリセルと、
移動通信端末機本体側に付加機能を提供する付加回路部と、
前記付加回路部の動作を制御し、外部とデータを送受信する制御部とを含み、
前記制御部は、
前記付加回路部を制御する付加機能処理部と、
移動通信端末機本体とデータを送受信する通信インターフェース部とを含み、
前記通信インターフェース部は、
前記付加機能処理部が処理したデータを伝送フォーマットに構成し、外部から受信したデータを前記付加機能処理部に操作命令として供給する通信制御部と、
前記通信制御部へのデータまたはそれからのデータを変復調する変復調部と、
前記変調されたデータまたは復調されるデータを送受信する送受信部とを含むことを特徴とする移動通信端末機のバッテリパック装置。
【請求項２】
前記装置が、前記電源供給端子に提供される電力量を検出する検出部をさらに含み、
前記制御部が、前記検出部で検出された電力量によって、バッテリパック側の回路の消耗電力水準を連動して制御する電源制御部をさらに含むことを特徴とする、請求項１に記載の移動通信端末機のバッテリパック装置。
【請求項３】
前記検出部が、出力電流を検出する電流検出手段を含み、前記電源制御部は、前記電流検出手段で検出された出力電流が一定値以下であると、制御用マイクロプロセッサを低電力駆動モードに転換し、付加回路部への供給電力を遮断することを特徴とする、請求項２に記載の移動通信端末機のバッテリパック装置。
【請求項４】
前記制御部が、前記通信インターフェース部から受信した本体側電力管理モード命令に応じてバッテリパック側の回路の消耗電力水準を制御する電源制御部をさらに含むことを特徴とする、請求項１に記載の移動通信端末機のバッテリパック装置。
【請求項５】
前記送受信部が、
バッテリセルと電源端子間に連結されたチョークフィルタと、
前記チョークフィルタと電源端子間で分岐された経路上に一端が連結され、直流を遮断する容量性素子とを含むことを特徴とする、請求項１〜４のいずれか一項に記載の移動通信端末機のバッテリパック装置。
【請求項６】
前記送受信部が、バッテリパックの本体装着面に広い面で対向するように配置されるトランスであることを特徴とする、請求項１〜４のいずれか一項に記載の移動通信端末機のバッテリパック装置。
【請求項７】
前記変復調部が、相対的に低周波数のＦＭ方式であることを特徴とする、請求項６に記載の移動通信端末機のバッテリパック装置。
【請求項８】
前記変復調部が、ブルートゥースＲＦ送受信モジュールであることを特徴とする、請求項１〜４のいずれか一項に記載の移動通信端末機のバッテリパック装置。
【請求項９】
前記送受信部が、本体の対向面に形成された開口部に設けられる赤外線送受信部であることを特徴とする、請求項１〜４のいずれか一項に記載の移動通信端末機のバッテリパック装置。
【請求項１０】
前記送受信部が、本体側に、電極板と電気的に接触するように弾支式で突出する接続ピンを含むことを特徴とする、請求項１〜４のいずれか一項に記載の移動通信端末機のバッテリパック装置。
【請求項１１】
１キーパッド、表示部、無線通信インターフェース部、およびこれらを制御する主制御部を含む移動通信端末機において、
バッテリパックから電源供給端子を介して受けた直流電源を処理して全体システムに供給する電源供給部と、
バッテリパックの付加機能を処理する負荷機能処理部と、
バッテリパック装置とデータを送受信する通信インターフェース部とを含み、
前記通信インターフェース部は、
前記付加機能処理部が処理したデータを伝送フォーマットに構成し、バッテリパックから受信したデータを前記付加機能処理部に供給する通信制御部と、
前記通信制御部へのデータまたはそれからのデータを変復調する変復調部と、
前記変調されたデータまたは復調されるデータを送受信する送受信部とを含むことを特徴とする移動通信端末機。
【請求項１２】
前記送受信部が、
電源供給部と電源端子間に連結されたチョークフィルタと、
前記チョークフィルタと電源端子間で分岐された経路上に一端が連結され、直流を遮断する容量性素子とを含むことを特徴とする、請求項１１に移動通信端末機。
【請求項１３】
前記送受信部が、本体のバッテリパック装着面に広い面で対向するように配置されるトランスであることを特徴とする、請求項１１に記載の移動通信端末機。
【請求項１４】
前記変復調部が、相対的に低周波数のＦＭ方式であることを特徴とする、請求項１３に記載の移動通信端末機。
【請求項１５】
前記変復調部が、ブルートゥースＲＦ送受信モジュールであることを特徴とする、請求項１１に記載の移動通信端末機。
【請求項１６】
前記送受信部が、バッテリパックの対向面に形成された開口部に設けられる赤外線送受信部であることを特徴とする、請求項１１に記載の移動通信端末機。
【請求項１７】
スマートカードスロットを有する移動通信端末機において、
所定形態の外観を形成するハウジング、および前記ハウジングに設けられ、一端がスマートカードの底面の各端子に電気的に接続され、他端が前記移動通信端末機のプリント基板の各端子に電気的に接続される端子部からなる第１コネクタ部と、
前記スマートカードが挿入され、前記スマートカードの上下面の少なくとも一部を密着して取り囲むクリップ部材、前記クリップ部材の上面に設けられ、バッテリパックの底面に設けられるバッテリパック内蔵回路からの各端子に電気的に接続される上部接続部、前記クリップ部材の下面に設けられ、前記スマートカードの底面の少なくとも一つの端子に電気的に接続される下部接続部、および前記上部接続部と前記下部接続部を電気的に連結する連結部からなる第２コネクタ部とを含んでなることを特徴とする、バッテリパック内蔵回路と移動通信端末機本体を連結する通信用コネクタ。
【請求項１８】
前記移動通信端末機のプリント基板に設けられるマイクロプロセッサが、前記スマートカードに第１イネーブル信号を出力し、前記バッテリパック内蔵回路に第２イネーブル信号を出力することを特徴とする、請求項１７に記載のバッテリパック内蔵回路と移動通信端末機本体を連結する通信用コネクタ。
【請求項１９】
前記連結部が、前記クリップ部材の表面にプリントされるパターンであることを特徴とする、請求項１７または１８に記載のバッテリパック内蔵回路と移動通信端末機本体を連結する通信用コネクタ。
【請求項２０】
スマートカードスロットを有する移動通信端末機において、
所定形態の外観を形成するハウジング、および前記ハウジングに設けられ、一端がスマートカードの底面の各端子に電気的に接続され、他端が前記移動通信端末機のプリント基板の各端子に電気的に接続される端子部からなる第１コネクタ部と、
装着されるスマートカードの上面の少なくとも一部を取り囲んで前記スマートカードを固定する固定部を少なくとも有する着脱ガイド部と、
前記固定部の上面に設けられ、バッテリパックの底面に設けられるバッテリパックの内蔵回路の各端子に電気的に接続される上部接続部、前記第１コネクタ部の端子部の少なくとも一つの端子のいずれか一つの端子に電気的に接続される下部接続部、および前記上部接続部と下部接続部を電気的に連結する連結部からなる第２コネクタ部とを含んでなることを特徴とする、バッテリパック内蔵回路と移動通信端末機本体を連結する通信用コネクタ。
【請求項２１】
前記移動通信端末機のプリント基板に設けられるマイクロプロセッサが、前記スマートカードに第１イネーブル信号を出力し、前記バッテリパック内蔵回路に第２イネーブル信号を出力することを特徴とする、請求項２０に記載のバッテリパック内蔵回路と移動通信端末機本体を連結する通信用コネクタ。
【請求項２２】
前記連結部が、前記移動通信端末機の当該面にプリントされるパターンであることを特徴とする、請求項２０または２１に記載のバッテリパック内蔵回路と移動通信端末機本体を連結する通信用コネクタ。
【請求項２３】
前記連結部が、折曲成形された弾性片であることを特徴とする、請求項２０または２１に記載のバッテリパック内蔵回路と移動通信端末機本体を連結する通信用コネクタ。
【請求項２４】
スマートカードスロットを有する移動通信端末機において、
所定形態の外観を形成するハウジング、および前記ハウジングに設けられ、一端がスマートカードの底面の各端子に電気的に接続され、他端が前記移動通信端末機のプリント基板のスマートカード通信用端子に電気的に接続される端子部からなる第１コネクタ部と、
前記スマートカードが挿入され、前記スマートカードの上下面の少なくとも一部を密着して取り囲むクリップ部材、前記クリップ部材の上面に設けられ、バッテリパックの底面に設けられるバッテリパック内蔵回路からの各端子に電気的に接続される上部接続部、前記クリップ部材の下面に設けられ、前記プリント基板に設けられるバッテリパック内蔵回路通信用端子に電気的に接続される下部接続部、および前記上部接続部と前記下部接続部を電気的に連結する連結部からなる第２コネクタ部とを含んでなることを特徴とする、バッテリパック内蔵回路と移動通信端末機本体を連結する通信用コネクタ。
【請求項２５】
前記バッテリパック内蔵回路通信用端子と前記第２コネクタ部の下部接続部のそれぞれが、雌／雄型ボード−トゥー−ボード（Ｂｏａｒｄ−ｔｏ−Ｂｏａｒｄ）コネクタであることを特徴とする、請求項２４に記載のバッテリパック内蔵回路と移動通信端末機本体を連結する通信用コネクタ。
【請求項２６】
前記移動通信端末機のプリント基板に、
前記プリント基板に設けられるマイクロプロセッサと前記スマートカード間で伝送されるデータをバッファリングする第１バッファ部と、
前記マイクロプロセッサと前記バッテリパック内蔵回路間で伝送されるデータをバッファリングする第２バッファ部とを含むことを特徴とする、請求項２４に記載のバッテリパック内蔵回路と移動通信端末機本体を連結する通信用コネクタ。
【請求項２７】
前記連結部が、前記クリップ部材の表面にプリントされるパターンであることを特徴とする、請求項２４に記載のバッテリパック内蔵回路と移動通信端末機本体を連結する通信用コネクタ。
【請求項２８】
スマートカードスロットを有する移動通信端末機において、
所定形態の外観を形成するハウジング、および前記ハウジングに設けられ、一端がスマートカードの底面の各端子に電気的に接続され、他端が前記移動通信端末機のプリント基板の各端子に電気的に接続される端子部からなる第１コネクタ部と、
装着されるスマートカードの上面の少なくとも一部を取り囲んで前記スマートカードを固定する固定部を少なくとも有する着脱ガイド部と、
前記固定部の上面に設けられ、バッテリパックの底面に設けられるバッテリパック内蔵回路の各端子に電気的に接続される上部接続部、前記プリント基板に設けられるバッテリパック内蔵回路通信用端子に電気的に接続される下部接続部、および前記上部接続部と下部接続部を電気的に連結する連結部からなる第２コネクタ部とを含んでなることを特徴とする、バッテリパック内蔵回路と移動通信端末機本体を連結する通信用コネクタ。
【請求項２９】
前記移動通信端末機のプリント基板に、
前記プリント基板に設けられるマイクロプロセッサと前記スマートカード間で伝送されるデータをバッファリングする第１バッファ部と、
前記マイクロプロセッサと前記バッテリパック内蔵回路間で伝送されるデータをバッファリングする第２バッファ部とを含むことを特徴とする、請求項２８に記載のバッテリパック内蔵回路と移動通信端末機本体を連結する通信用コネクタ。
【請求項３０】
前記連結部が、前記移動通信端末機の当該面上にプリントされるパターンであることを特徴とする、請求項２８または２９に記載のバッテリパック内蔵回路と移動通信端末機本体を連結する通信用コネクタ。
【請求項３１】
前記連結部が、折曲成形される弾性片であることを特徴とする、請求項２８または２９に記載のバッテリパック内蔵回路と移動通信端末機本体を連結する通信用コネクタ。
【発明の詳細な説明】
【技術分野】
【０００１】
本発明は移動通信端末機に係り、特に付加機能、たとえばカラオケ、疾病診断、皮膚美容などの機能を支援するのに必要な専用回路を内蔵したバッテリパックが着脱可能に装着される移動通信端末機に関するものである。本発明は、たとえば携帯電話または個人携帯端末機（ＰＤＡ）、ひいてはＭＰ３プレーヤーのような自体制御機能を有し、バッテリパックが着脱可能に装着される携帯用端末機に適用可能である。
【背景技術】
【０００２】
移動通信端末機の機能を拡張するため、バッテリパックに付加のオプション回路を内蔵させるアイデアが提示されてきた。１９９７年１０月１４日付で刊行された日本国特開平９−２７０８３６号は、移動通信端末機に着脱可能に装着されるバッテリパックに内蔵されたラジオ回路で具現された付加の装置を開示している。また、キムテジンなどにより出願され、２００１年３月１５日付で公開された大韓民国公開特許公報第２００１−１９６６４号は、移動通信端末機のバッテリパックにＭＰ３コデックとフラッシュメモリモジュールを内蔵し、移動通信端末機の使用者インターフェースを用いて制御するオーディオ再生装置について開示している。
【特許文献１】特開平９−２７０８３６号公報
【特許文献２】大韓民国公開特許公報第２００１−１９６６４号
【発明の開示】
【発明が解決しようとする課題】
【０００３】
これに関連し、本出願人は、携帯用通信端末機に装着され、低周波治療、超音波美容治療、生体インピーダンス測定などが支援可能なバッテリパック装置を２００２年９月３日付で特許出願第２００２−５３００４号、第２００２−５２９９６号、第２００２−５２９９５号、２００２−５２９９４号として出願している。この装置は、バッテリパック内に必要なプローブと関連駆動回路を内蔵し、移動通信端末機本体と通信し、移動通信端末機で実行される応用プログラムによりバッテリパック内の回路を制御して前述した機能を支援する。
【０００４】
図１は前記先出願のうち、特許出願第２００２−５３００４号に一実施例として記載された美容治療装置の外観を概略的に示す。この実施例は、超音波および低周波治療機能を有する携帯電話に関するものである。
【０００５】
この実施例は、バッテリパックの表面に超音波／低周波治療のための電極が設けられる。使用者は、移動通信端末機で超音波治療メニューを選択し、適正レベルを選択した後、開始を命令する。その後、超音波電極を顔面のような皮膚に接触させると、接触を検出し、この電極に超音波が提供される。第１制御部１００と第２制御部１５０はインターフェース３０を介してデータを送受信し、第１制御部１００は、第２制御部１５０からの指令に応えて超音波駆動部１２０および低周波駆動部１１０を駆動する。
【０００６】
このような多機能複合バッテリパック装置は、本体との通信を必要とする。本体の使用者インターフェースを制御し、たとえばバーチャルマシン基盤の環境で実行される応用プログラムは、バッテリパック装置とデータの送受信を行わなければならない。たとえば、本体は、バッテリパック装置に制御命令を送信し、これにより算出されたデータを受信しなければならない。
【０００７】
しかし、別途の端子を設けておくためには、移動通信端末機の金型を修正しなければならないが、こうするのには高い費用がかかる。また、現在の移動通信端末機は非常にコンパクトな構造であるが、この構造に相対的に大きな部品を付け加えることは大変大きな負担をもたらす。
【０００８】
また、このような多機能複合バッテリパック装置において、実際の製品を具現する過程でつぎのような問題点が導出された。すなわち、ほとんどの移動通信端末機は、その内部に、バッテリの寿命を延長させ、バッテリそのものを保護するため、電源管理機能を支援する。この機能は、端末機の動作状態によって、メイン制御部と周辺装置に供給される電源レベルまたはクロックを調節して消耗電力を異にするように操作する省電力機能を含む。しかし、複合バッテリパック装置の場合、このような省電力機能の制御を受けることができないため、電源管理上の問題点があった。すなわち、バッテリパック内の回路は、端末機本体で要求するとき、いつでも固有の付加機能のために活性化できなければならないため、電源を過多に消耗する問題がある。
【０００９】
一方、周知のように、記憶機能、演算機能および保安機能を有するように、マイクロプロセッサ、運営体系、保安モジュール、メモリなどを備えたＩＣが挿入されているスマートカードは、通信、金融、教育、行政、交通など、社会全般で情報の記録、身元確認、決済などの手段として広く採用されている。
【００１０】
かかるスマートカードが移動通信端末機に適用される代表的な例は、ローミングサービスを提供するための加入者確認モジュールであって、移動通信端末機に装着される。このような移動通信端末機加入者確認モジュール用スマートカードとしては、たとえばＳＩＭ（Ｓｕｂｓｃｒｉｂｅｒ  Ｉｄｅｎｔｉｔｙ  Ｍｏｄｕｌｅ）カード、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カード、ＵＩＭ（Ｕｓｅｒ  Ｉｄｅｎｔｉｔｙ  Ｍｏｄｕｌｅ）カード、ＲＵＩＭ（Ｒｅｍｏｖａｂｌｅ  Ｕｓｅｒ  Ｉｄｅｎｔｉｔｙ  Ｍｏｄｕｌｅ）カードなどがある。ヨーロッパの移動通信方式であるＧＳＭにおいては、端末機交替または通信事業者変動に対処するため、携帯電話機とネットワーク間のインターフェースであると言える加入者確認モジュールとして、前述したＳＩＭカードを適用してきた。ＳＩＭカードには電話番号などの使用者の情報を記憶されているので、電源をオンさせると、ＳＩＭカードの情報をネットワークとやり取りし、使用承認が下ると、そのときから移動通信端末機を使用し得ることになる。前記ＵＳＩＭカードは、移動電話またはコンピュータの使用者が全世界にどこにあっても、第３世代、広帯域パケット基盤のテキスト、デジタル化した音声、ビデオおよびマルチメディアデータを２Ｍｂｐｓ以上の高速で伝送し得るＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）に適用するためのスマートカードであって、ＩＭＴ−２０００サービス商用端末機に内蔵され、秘密認証データとともに使用者データを記憶することができる。前記ＵＩＭはヨーロッパＧＳＭのＳＩＭを２世代ＳＤＭＡに適用し得るように改善したスマートカードであり、ＲＵＩＭは第３世代ＣＤＭＡに適用するための着脱式スマートカードである。
【００１１】
スマートカードが移動通信端末機に適用されるさらにほかの例は、電子マネー（たとえば、交通カード）またはクレジットカードのような各種決済手段としての使用である。適用された技術の例を挙げると、スマートカードが装着される移動通信端末機において、１３個の接続端子は移動通信端末機に電気的に接続させ、２個の端子は移動通信端末機に内蔵されたＲＦアンテナに連結することにより、ＲＦアンテナと外部インターフェース（判読器）間の料金決済情報を移動通信端末機の通信機能により伝送して、交通料金などを後払いで支払えるようにする。
【００１２】
一方、スマートカードを移動通信端末機に装着するための多くの具体的な技術が本発明の出願前に知られている（図１８〜図２２参照）。図１８を参照すると、スマートカード１８３０の底面に設けられる端子と、移動通信端末機本体のプリント基板１８４０に設けられる端子との電気的接続のためにコネクタを使用する。すなわち、コネクタは、所定形態の外観をなすハウジング１８１０と、前記ハウジング１８１０に設けられ、一端はスマートカード１８３０の底面の各端子１８３１に電気的に接続され、他端は移動通信端末機のプリント基板１８４０の各端子１８４１に電気的に接続される端子部１８２０とからなる。
【００１３】
図１９〜図２２は、移動通信端末機の背面に設けられる装着部に装着または分離されるスマートカードをガイドし固定させるための技術を示す。図１９に示すように、移動通信端末機の背面１９１０に設けられる装着部１９１１がスマートカード１９２０を収容し得るほどの深さを有し、スマートカード１９２０の装着をガイドし、金属薄板１９３０が装着されて、スマートカード１９２０を固定させる。図２０においては、移動通信端末機の背面２０３２に離脱防止突部２０３８がさらに設けられ、金属薄板２０７０の保持に役立っている。
【００１４】
図２１においては、コネクタハウジング底面２１１２上に突出して挿置される弾性材の端子２１３１の接続面によりスマートカードに上昇力を与え、ハウジングの左右側壁２１１４に挿置されて固定されるカードガイダー２１２１の上面によりスマートカードの上昇を防止してスマートカードを固定する。もちろん、装着されるスマートカードは、ハウジングの左右側壁２１１４などによりガイドされる。
【００１５】
図２２は、装着されるスマートカードの上面の少なくとも一部を覆ってスマートカードを固定する固定部を少なくとも含む着脱ガイド部、すなわち案内レール２２４０、カード固定片２２５０がスマートカードコネクタ２２００のハウジングに一体に形成される技術を示す。
【００１６】
本発明においては、バッテリパックに内蔵される回路を、スマートカードが装着される移動通信端末機に連結するコネクタを具現しようとする。バッテリパックの内蔵回路と移動通信端末機本体の連結のため、図１８〜図２２に示すような既存のスマートカード装着とは異なるインターフェース構造を設計すると、移動通信端末機の製造価格が上昇し、サイズが大きくなる問題点がある。また、移動通信端末機のメーカーの観点で見ると、バッテリパックに内蔵回路が備えられる一部の移動通信端末機のため、別途の製品を生産しなければならない問題点がある。
【００１７】
したがって、バッテリパック内蔵回路のためのコネクタを具体的に具現することにおいて、一番重要に考慮した点は、既存のスマートカード装着構造をあまり変形させずにバッテリパック内蔵回路と移動通信端末機本体を連結することである。
【００１８】
一方、公知のスマートカード装着技術は、スマートカードが移動通信端末機に装着されると、本体のマイクロプロセッサとの通信連結のため、本体側の端子とスマートカード底面の端子とが互いに電気的に接続されるものであって、その主関心事が（当然）スマートカードの装着にだけ限定されている。したがって、移動通信端末機本体との接触面に設けられるバッテリパック内蔵回路の端子を本体に連結させるための具体的な方案を設けなければならない。
【００１９】
本発明はこのような問題点を解決するためになされたもので、付加機能のための専用回路を含むバッテリパックが着脱可能に装着される移動通信端末機において、金型の修正および部品追加を最小にすることを目的とする。
【００２０】
また、本発明はこのような問題点を解決するためになされたもので、自体の電源消耗を効率よく管理し得る付加機能を有する多機能複合バッテリパック装置を提供することを目的とする。
【００２１】
さらに、本発明は、バッテリパックの内蔵回路と移動通信端末機本体を連結する通信用コネクタを提供することにその目的がある。
【００２２】
また、本発明は、既存のスマートカード装着構造を大きく変形させずにバッテリパック内蔵回路と移動通信端末機本体を連結することにある。
【課題を解決するための手段】
【００２３】
前記目的を達成するため、本発明の一様相による移動通信端末機用バッテリパック装置は、移動通信端末機本体とデータを送受信する通信インターフェース部とを含み、前記通信インターフェース部は、前記付加機能処理部が処理したデータを伝送フォーマットに構成し、外部から受信したデータを前記付加機能処理部に操作命令として供給する通信制御部と、前記通信制御部へのデータまたはそれからのデータを変復調する変復調部と、前記変調されたデータまたは復調されるデータを送受信する送受信部とを含むことを特徴とする。
【００２４】
本発明のこのような様相により、本発明によるバッテリパック装置は、移動通信端末機と近接して通信するのにもかかわらず、これに直接連結されずに、簡単な変復調回路を付け加えて、外形で露出される送受信部を自由に変形することができる有利な利点を有する。
【００２５】
本発明のほかの様相によると、前記送受信部が、バッテリセルと電源端子間に連結されたチョークフィルタと、前記チョークフィルタと電源端子間で分岐された経路上に一端が連結され、直流を遮断する容量性素子とを含むことを特徴とする。
【００２６】
本発明のこのような様相により、本発明によるバッテリパック装置は、電源端子と通信端子を一体化して、別途の送受信のための端子を全く付け加えなくても、内部に非常に簡単なアナログ素子のみを付け加え、相対的に非常に低いレベルの変復調部のみを付け加えることで通信が可能になる有利な利点を有する。
【００２７】
本発明のさらにほかの様相によると、前記送受信部が、バッテリパックの本体装着面に広い面で対向するように配置されるトランスであることを特徴とする。
【００２８】
本発明のこのような様相により、本発明によるバッテリパック装置は、データ送受信のため、金型を全く修正せず、バッテリパックと本体の対向面に近接して広い面でトランスを付着し、このトランス間の誘導結合によりデータを通信するので、内部に非常に簡単なアナログ素子のみを付け加え、相対的に非常に低いレベルの変復調部のみを付け加えることで、通信が可能な有利な利点を有する。また、補助的様相により、前記二つのトランスは非常に近接して取り付けられるので、前記変復調部は相対的に低周波数のＦＭ方式実行することができる。
【００２９】
本発明のさらにほかの様相によると、前記変復調部が、ブルートゥースＲＦ送受信モジュールであることを特徴とする。
【００３０】
本発明のこのような様相により、本発明によるバッテリパック装置は、既存の移動通信端末機に既に採択された多点通信手段に連結されるので、付加回路を最少化し、本体金型を全く修正しなくてもよい利点がある。
【００３１】
本発明のさらにほかの様相によると、前記送受信部が、本体の対向面に形成された開口部に設けられる赤外線送受信部であることを特徴とする。
【００３２】
本発明のこのような様相により、本発明によるバッテリパック装置は、付加の回路を最少化し、本体金型の修正を最少化することができる利点がある。
【００３３】
本発明のさらにほかの様相によると、前記送受信部が、本体側に、電極板と電気的に接触するように弾支式で突出する接続ピンを含むことを特徴とする。
【００３４】
本発明のさらにほかの様相によるバッテリパック装置は、携帯電話に電源を供給する電源供給端子に提供される電力量を検出する検出部をさらに含み、バッテリパックの制御部が、前記検出部で検出された電力量によって、バッテリパックの消耗電力水準に応じて制御する電源制御部をさらに含むことを特徴とする。
【００３５】
このような様相により、本発明は、本体に着脱式で装着され、付加機能を提供するための回路を含むバッテリパック装置において、本体側の電力管理モードによって、バッテリパック側の付加機能のための回路も電力消耗を管理することにより、使用者の使用状態に合わせて効率よく電力を管理することができる作用効果がある。
【００３６】
さらに、前記様相による本発明は、本体側で電力管理モードをバッテリパック側に知らせることが難しい場合にも、バッテリパック自体から本体側に供給する電力を検出することにより、自体消耗電力を効率よく管理することができる。
【００３７】
本発明のさらにほかの様相によるバッテリパック装置は、携帯電話とインターフェースする通信インターフェース部から受信した本体側電力管理モードによってバッテリパック側の回路の消耗電力水準を制御する電源制御部をさらに含むことを特徴とする。
【００３８】
このような様相により、本発明は、携帯用端末機側でバッテリパック側の要求に応じて現在の電力管理モードを知らせ、これによりバッテリパック側で自体電力管理モードも連動して制御することにより、バッテリパック側で電力管理のための別途の付加回路を付け加えなくても効率よく消耗電力を管理することができる。
【００３９】
本発明のさらにほかの様相によると、本発明は、スマートカードスロットを有する移動通信端末機において、所定形態の外観を形成するハウジング、および前記ハウジングに設けられ、一端がスマートカードの底面の各端子に電気的に接続され、他端が前記移動通信端末機のプリント基板の各端子に電気的に接続される端子部からなる第１コネクタ部と、前記スマートカードが挿入され、前記スマートカードの上下面の少なくとも一部を密着して取り囲むクリップ部材、前記クリップ部材の上面に設けられ、バッテリパックの底面に設けられるバッテリパック内蔵回路からの各端子に電気的に接続される上部接続部、前記クリップ部材の下面に設けられ、前記スマートカードの底面の少なくとも一つの端子に電気的に接続される下部接続部、および前記上部接続部と前記下部接続部を電気的に連結する連結部からなる第２コネクタ部とを含んでなることを特徴とする。
【００４０】
これにより、本体のマイクロプロセッサとの通信連結のため、移動通信端末機本体側の端子とスマートカード底面の端子が電気的に接続される公知のスマートカード装着構造において、既存の装着構造を変形させずに、前記スマートカードを（本発明による）クリップ部材に挿入（たとえば、クリップ部材にスマートカードを締まりばめ）することにより、前記クリップ部材に設けられる上／下接続部によりバッテリパック内蔵回路の端子と移動通信端末機のプリント基板の端子が電気的に接続可能になる。
【００４１】
本発明のさらにほかの様相によると、前記移動通信端末機のプリント基板に設けられるマイクロプロセッサが、前記スマートカードに第１イネーブル信号を出力し、前記バッテリパック内蔵回路に第２イネーブル信号を出力することを特徴とする。
【００４２】
これにより、本体側のマイクロプロセッサのイネーブル信号に応じて、スマートカードとバッテリパック内蔵回路が動作を開始するので、スマートカード底面の端子およびバッテリパック内蔵回路の端子が移動通信端末機本体の同一端子に電気的に接続されるが、ソフトウェア的に伝送されるデータの物理的な衝突は防止し得ることになる。
【００４３】
本発明のさらにほかの様相によると、本発明は、スマートカードスロットを有する移動通信端末機において、所定形態の外観を形成するハウジング、および前記ハウジングに設けられ、一端がスマートカードの底面の各端子に電気的に接続され、他端が前記移動通信端末機のプリント基板の各端子に電気的に接続される端子部からなる第１コネクタ部と、装着されるスマートカードの上面の少なくとも一部を取り囲んで前記スマートカードを固定する固定部を少なくとも有する着脱ガイド部と、前記固定部の上面に設けられ、バッテリパックの底面に設けられるバッテリパックの内蔵回路の各端子に電気的に接続される上部接続部、前記第１コネクタ部の端子部の少なくとも一つの端子のいずれか一つの端子に電気的に接続される下部接続部、および前記上部接続部と下部接続部を電気的に連結する連結部からなる第２コネクタ部とを含んでなることを特徴とする。
【００４４】
これにより、本発明のマイクロプロセッサとの通信連結のため、移動通信端末機本体側の端子とスマートカード底面の端子が電気的に接続される公知のスマートカード装着構造において、バッテリパックの底面に設けられるバッテリパック内蔵回路の各端子が、装着されるスマートカードの上面の少なくとも一部を取り囲む既存のスマートカード固定部の上面で電気的に接続され、また既存のプリント基板端子との連結構成を活用して、バッテリパック内蔵回路の端子と移動通信端末機のプリント基板の端子が電気的に接続可能になる。
【００４５】
本発明のさらにほかの様相によると、本発明は、スマートカードスロットを有する移動通信端末機において、所定形態の外観を形成するハウジング、および前記ハウジングに設けられ、一端がスマートカードの底面の各端子に電気的に接続され、他端が前記移動通信端末機のプリント基板のスマートカード通信用端子に電気的に接続される端子部からなる第１コネクタ部と、前記スマートカードが挿入され、前記スマートカードの上／下面の少なくとも一部を密着して取り囲むクリップ部材、前記クリップ部材の上面に設けられ、バッテリパックの底面に設けられるバッテリパック内蔵回路からの各端子に電気的に接続される上部接続部、前記クリップ部材の下面に設けられ、前記プリント基板に設けられるバッテリパック内蔵回路通信用端子に電気的に接続される下部接続部、および前記上部接続部と前記下部接続部を電気的に連結する連結部からなる第２コネクタ部とを含んでなることを特徴とする。
【００４６】
これにより、本体のマイクロプロセッサとの通信連結のため、移動通信端末機本体側の端子とスマートカード底面の端子が電気的に接続される公知のスマートカード装着構造において、既存の装着構造を変形せずに、前記スマートカードを（本発明による）クリップ部材に挿入（たとえば、スマートカードにクリップ部材を締まりばめ）することにより、前記クリップ部材に設けられた上／下接続部によりバッテリパック内蔵回路の端子と移動通信端末機のプリント基板の別途の端子が電気的に接続可能になる。この際、移動通信本体ハウジングは、スマートカードを装着させるための空間をクリップ部材の厚さの分だけ大きくし、クリップ部材の下部接続部と本体プリント基板の端子間の電気的接続のための空間の分だけ、公知の第１コネクタを外部に露出させるためのハウジング孔を広く設計することもできる。また、場合によっては、移動通信端末機の本体ハウジングは自体伸縮性を有するので、前記スマートカードを装着させるための空間構造を変形させずにそのままで活用することもできる。
【００４７】
また、プリント基板においては、バッテリパック内蔵回路との通信のための端子のみをさらに備えているとよい。プリント基板の空間活用を最小にし、接続の堅牢性のための方案として、移動通信端末機回路設計で通常に活用する雌／雄型のＢｏａｒｄ−ｔｏ−Ｂｏａｒｄコネクタを使用することができる。
【００４８】
本発明のさらにほかの様相によると、スマートカードスロットを有する移動通信端末機において、所定形態の外観を形成するハウジング、および前記ハウジングに設けられ、一端がスマートカードの底面の各端子に電気的に接続され、他端が前記移動通信端末機のプリント基板の各端子に電気的に接続される端子部からなる第１コネクタ部と、装着されるスマートカードの上面の少なくとも一部を取り囲んで前記スマートカードを固定する固定部を少なくとも有する着脱ガイド部と、前記固定部の上面に設けられ、バッテリパックの底面に設けられるバッテリパック内蔵回路の各端子に電気的に接続される上部接続部、前記プリント基板に設けられるバッテリパック内蔵回路通信用端子に電気的に接続される下部接続部、および前記上部接続部と下部接続部を電気的に連結する連結部からなる第２コネクタ部とを含んでなることを特徴とする。
【００４９】
これにより、本体のマイクロプロセッサとの通信連結のため、移動通信端末機本体側の端子とスマートカード底面の端子が電気的に接続される公知のスマートカード装着構造において、バッテリパックの底面に設けられるバッテリパック内蔵回路の各端子が、装着されるスマートカードの上面の少なくとも一部を取り囲む既存のスマートカード固定部の上面で電気的接続がなされ、（本発明による）上／下接続部により、バッテリパック内蔵回路の端子と移動通信端末機のプリント基板の別途の端子が電気的に接続可能になる。この際、前記上／下接続部としては折曲弾性片またはパターンを使用することができるので、非常に簡単に具現することができ、プリント基板はバッテリパック内蔵回路との通信のための端子のみをさらに備えているとよい。
【００５０】
本発明のさらにほかの様相によると、前記移動通信端末機のプリント基板に、前記プリント基板に設けられるマイクロプロセッサと前記スマートカード間で伝送されるデータをバッファリングする第１バッファ部と、前記マイクロプロセッサと前記バッテリパック内蔵回路間で伝送されるデータをバッファリングする第２バッファ部とを含むことを特徴とする。
【００５１】
これにより、移動通信端末機においては、従来のスマートカードとともにバッテリパック内蔵回路と通信を行うので、伝送されるデータを中途でバッファリングすることができ、本体のマイクロプロセッサとこの二つの構成部間の円滑な通信が可能になる。
【００５２】
以下、前述した本発明の様相を添付図面に基づいて提示する好ましい実施例により、当業者が容易に理解および再現し得るように詳細に説明する。
【発明を実施するための最良の形態】
【００５３】
図２は本発明の好ましい一実施例による移動通信端末機の全体構成を概略的に示す。図示のように、本発明の好ましい一実施例による移動通信端末機は、携帯電話本体１０とバッテリパック２０とからなる。
【００５４】
携帯電話本体１０は、通常の携帯電話の構成部であるキーパッド２５０と、たとえば液晶ディスプレイからなった表示部２６０と、たとえばＣＤＭＡ通信モジュールである無線通信部およびこれらを制御する主制御部２８３と、バッテリパックから電源供給端子を介して受けた直流電源を処理して全体システムに供給する電源供給部２４０とを含む。このような構成は本願発明の出願日以前に知られたものであるので、その詳細な説明は省略する。
【００５５】
さらに、本発明の特徴的な様相により、携帯電話本体１０は、バッテリパックの付加機能を処理する付加機能処理部２８２と、バッテリパック装置とデータを送受信する通信部２８１とを含む。
【００５６】
付加機能処理部２８２は、実際には、たとえばＧＶＭ（Ｇｅｎｅｒａｌ  Ｖｉｒｔｕａｌ  Ｍａｃｈｉｎｅ）、ＢＲＥＵのような移動通信端末機用バーチャルマシン（ｖｉｒｔｕａｌ  ｍａｃｈｉｎｅ）に基づいて作成されたプログラムコードにより具現され、たとえば表示部２６０にメニューを提供し、キーパッド２５０の選択により当該制御を開始するように、通信制御部２８１ａを介してバッテリパック２０に命令を送信する動作と、診断装置の場合は、バッテリパック２０から測定されたデータ値を受信して処理し、これを表示部２６０に表示して出力するなど、主に使用者インターフェースに関連した動作を制御する。
【００５７】
通信部２８１は、前記付加機能処理部２８２が処理したデータを伝送フォーマットに構成し、バッテリパック２０から受信したデータを前記付加機能処理部２８２に供給する通信制御部２８１ａと、前記通信制御部２８１ａへのデータまたはそれからのデータを変復調する変復調部２８１ｂと、前記変調されたデータまたは復調されるデータを送受信する送受信部２８１ｃとを含む。
【００５８】
好ましい一実施例において、前記付加機能処理部２８２、通信制御部２８１ａ、および主制御部２８３はみんなプログラムコードで具現され、携帯電話本体に元に内蔵された主制御チップ内の単一マイクロプロセッサにより実行される。
【００５９】
以下では、図２に基づき、本発明の一実施例によるバッテリパック装置２０を説明する。
【００６０】
この実施例において、バッテリパック２０は、電源供給端子４０を介して直流電源を携帯電話本体１０に供給する複数のバッテリセル２３０と、携帯電話本体１０に付加機能を提供する付加回路部２２０と、前記付加回路部２２０の動作を制御し、外部とデータを送受信する第１制御部２１０とを含む。
【００６１】
バッテリセル２３０と電源供給端子４０は通常の構成であるので、その説明を省略する。付加回路部２２０は、音楽再生、治療、診断などの機能を具現するのに必須的な回路を含む。これは、たとえば探針、電極のようなアクチュエータまたはセンサ類を含み、これらからまたはこれらに駆動信号を供給するのに必要な増幅回路または発振回路であり得るアナログ回路、およびアナログ／デジタル変換器、および簡単なデジタル論理回路を含むことができる。図１の従来技術に、このような付加回路の一実施例を見ることができる。
【００６２】
図２に示すように、前記第１制御部２１０は、前記付加回路部２２０を制御する付加機能処理部２１２と、携帯電話本体１０とデータを送受信する通信部２１１とを含む。付加機能処理部２１２は、通信部２１１を介して受信した携帯電話本体１０からの命令を解釈して付加回路部２２０のハードウェアを直接制御するか、たとえば診断装置の場合、付加回路部２２０で測定されたデータを処理し、その結果を通信部２１１を介して携帯電話本体１０に伝送することができる。または、音楽再生装置の付加回路部２２０に含まれたフラッシュメモリから音源データを読み出して圧縮解凍し、これを通信部２１１を介して本体１０に伝送し、本体１０の操作命令を通信部２１１を介して受信し、これに応じて音源ファイル目録を伝送するか、当該ファイルを再生するか削除するなどの処理を行うことができる。
【００６３】
ここで、前記通信部２１１は、前記付加機能処理部２１２が処理したデータを伝送フォーマットに構成し、外部から受信したデータを前記付加機能処理部２１２に操作命令で供給する通信制御部２１１ａと、前記通信制御部２１１ａへのデータまたはそれからのデータを変復調する変復調部２１１ｂと、前記変調されたデータまたは復調されたデータを送受信する送受信部２１１ｃとを含む。
【００６４】
好ましい実施例において、通信制御部２１１ａのロジックはたいていマイクロプロセッサないでソフトウェア的に具現され、プロセッサにワンチップで集積された直列ポート一つあるいは二つを用いる。したがって、実際において、付加機能処理部２１２と通信制御部２１１ａのほとんどのロジックは、同一プロセッサにより実行されるプログラムコードで具現される。また、変復調部２１１ｂは簡単なアナログ回路または小型の単一チップにより具現可能である。
【００６５】
以下では、本発明の有利な様相による変復調部と送受信部の各実施例について詳細に説明する。
【００６６】
図３ａは本発明の第１実施例による送受信部の外観を示し、図３ｂは同実施例において、変復調部と送受信部の構成を概略的に示す。
【００６７】
図３ａに示すように、本発明の第１実施例による送受信部２１１ｃ、２８１ｃは別途の通信用インターフェース端子を含まなく、バッテリパック２０と携帯電話本体１０間の電源供給端子４０を通信インターフェース端子と兼用する。これは、一種の電力線による通信であるが、バッテリは直流であるため、ノイズが殆どなく、非常に近距離であるため、相対的に非常に簡単な回路で具現することができる。
【００６８】
図３ｂに示すように、本実施例において、バッテリパック２０側の送受信部２１１ｃは、バッテリセル２３０と電源端子３１間に連結されたチョークフィルタ３１５と、前記チョークフィルタ３１５と電源端子３１間で分岐された経路上に一端が連結され、直流を遮断する、たとえばキャパシタ３１６のような容量性素子とからなる。
【００６９】
図示のように、本実施例において、携帯電話本体１０側の送受信部２８１ｃは、電源供給部２４０と電源端子３２間に連結されたチョークフィルタ３１１と、前記チョークフィルタ３１１と電源端子３２間で分岐された経路上に一端が連結され、直流を遮断する、たとえばキャパシタ３１２のような容量性素子とからなる。
【００７０】
チョークフィルタ３１１、３１５は通信データを遮断して直流電源からノイズを除去するために設けられたものであり、キャパシタ３１２、３１６は直流成分を遮断するために設けられたものである。モデム３１３、３１７は変復調回路であるが、実は非常に近距離通信であるので、別途の変復調を行わず、送受信データの分離のみで具現することができる。バッテリパック２０と本体１０間の通信には、全二重方式の場合、データ接地線を除くと、１本のラインでも可能である。この場合、送受信分離のため、周波数領域での別途の変復調が必要である。単に一つの端子のみを用いて半二重方式で通信する場合、別途の変復調回路はもちろん変復調回路はワイヤリングのみにより可能である。この場合、送受信の分離はソフトウェア的時分割で可能である。
【００７１】
したがって、本発明において、変復調部２１１ｂ、２８１ｂは一般の変復調回路に限定して解釈してはいけなく、必ずしも現実的な変調および復調ができなくても、単に送受信のためのアナログ信号の準備ができたら、包括する意味と解釈されなければならない。電源線にはただ二つの端子のみが提供できるので、送受信データを分離するか、または一つはデータ線に、ほかの一つは制御信号用線として使用できる。
【００７２】
本実施例によるバッテリパック装置は、電源端子と通信端子を一体にして、別途の送受信のための端子を全く付け加えなくても、内部に大変簡単なアナログ素子のみを設け、相対的に非常に低いレベルの変復調部のみを付け加えることで通信が可能である有利な利点を有する。
【００７３】
図４は第２実施例による送受信部の構成を概略的に示す。本実施例において、送受信部２１１ｃ、２８１ｃは、バッテリパック２０の本体装着面に対向する広さで配置されたトランス４２１、４２２であることを特徴とする。ここで、トランスとは、誘導結合により電気的信号が離隔空間で伝送可能な、多数回巻線された一対のコイルを意味し、本発明の特徴によると、これらコイル間には金属性磁心が共有され難い。
【００７４】
好ましい一実施例において、このトランスは複数回巻線されたコアレス（ｃｏｒｅｌｅｓｓ）コイル束形態であり、一定の形態を維持し、コイル間の絶縁性を向上させるため、樹脂などにより一体化され、携帯電話の厚さを必要以上に増大させないように中空薄板形態に製作される。携帯電話本体１０のバッテリパック２０対向面の領域には、コイル対間の誘導結合を最大化するため、広い面でトランスが固定される。同様に、バッテリパック２０にも、コイル対間の誘導結合を最大化するため、バッテリパックと本体が結合されたとき、トランスが互いに正確に対向するように、本体１０対向面の領域に広い面でトランスが内蔵されるように固定される。
【００７５】
本実施例において、変復調部２１１ｂ、２８１ｂは、デジタルデータを二つの周波数に変調する一種のＦＭ方式を採択する。これにより、デジタル信号は、周波数検出装置、たとえばＰＬＬまたはシュミットトリガーなどの２値化回路を経た後、ソフトウェア的判断により復調できる。
【００７６】
本実施例によるバッテリパック装置は、データ送受信のため、金型を全く修正せず、バッテリパックと本体の対向面に近接して広い面でトランスを付着し、このトランス間の誘導結合によりデータ通信を行うので、内部に大変簡単なアナログ素子のみを設け、相対的に非常に低いレベルの変復調部のみを付け加えることにより、通信が可能な有利な利点を有する。また、補助的様相によると、二つのトランスは非常に近接して取り付けられるので、前記変復調部は相対的に低周波数のＦＭ方式で具現することが可能である。
【００７７】
本発明の第３実施例による移動通信端末機において、変復調部２１１ｂ、２８１ｂはブルートゥースＲＦ送受信モジュールであり、送受信部２１１ｃ、２８１ｃはセラミック誘電体によるもので、パックに内蔵されたヘリカルアンテナで構成される。
【００７８】
最近、移動通信端末機は、ブルートゥースモジュールがチップ水準あるいは端末機水準で内蔵される趨勢にある。ブルートゥース通信は、バッテリパック２０とデータ通信を行う無線リンクを提供する。ブルートゥース通信は、２．４ＧＨｚ大域でＧＦＳＫ変調を採択している。そのほかに、チャンネル通信とデータおよび音声のためのプロトコールスタックがあるが、本実施例においては、ブルートゥースモジュールでＧＦＳＫ変復調部のみを採択し、デジタルデータはブルートゥースモジュールのＧＦＳＫ変復調部に直接入出力される。
【００７９】
最近、移動通信端末機にＧＰＳ、ブルートゥース機能が内蔵されるにしたがい、このための超小型アンテナ技術も発展している。四角棒形のセラミック誘電体の表面にヘリカル導体を被せた形態の一つのアンテナでブルートゥースおよびＧＰＳを同時に支援するアンテナに関する先行技術も知られている。本発明はこれに限定されないが、既存の携帯電話に既に内蔵されたアンテナを用いることが好ましい。
【００８０】
本発明のこのような様相により、本発明によるバッテリパック装置は、既存の移動通信端末機に既に採択された他点通信手段に連結されて付加回路を最少化し、本体金型を全然修正しなくてもよい利点がある。
【００８１】
本発明の第４実施例による移動通信端末機において、送受信部２１１ｃ、２８１ｃは本体の対向面に形成された開口部に設けられた赤外線送受信部であり、変復調部２１１ｂ、２８１ｂはＩＲ駆動用の単一チップで構成される。双方向通信が支援されるＩＲ駆動用チップセットは本発明の出願日以前に商用化されている。機構的には、本体のバッテリパック対向面に透明な開口窓を形成し、バッテリパックの対応面にも同一開口窓を形成し、これにＩＲ受光素子を装着する。
【００８２】
本発明の第５実施例による移動通信端末機において、送受信部２１１ｃ、２８１ｃは、本体側に設けられた電極板と、バッテリパック側で前記電極板と電気的に接触するように弾支式で突出した接続ピンとを含むことを特徴とする。図３ａに示すように、通常バッテリパックの電気的接続のため、本体側に弾支式で突出電極が形成され、バッテリパック側に電極板が形成される。しかし、本体側の金型の修正を最小にするため、本体側には、相対的に取り付けやすくて機構的な空間を小さく占める電極板を取り付け、バッテリパック側に弾支式接続ピンを取り付けると、本体側の修正が最小になるので、新技術の適用が容易になる。
【００８３】
［構成２］
以下では、電力消耗を減らすための本発明の目的を達成するための実施例を図５、図６および図７に基づいて説明する。
【００８４】
図５は本発明の一実施例による美容治療装置の外観を概略的に示す図である。この実施例は、超音波治療機能を有する携帯電話に関するものである。しかし、これは例示の目的で提示したもので、本発明はこれに限定されなく、付加機能を制御するための制御部を含み、付加回路を含む多くのバッテリパック装置、たとえば従来技術としては、本出願人が出願した特許出願第２００２−５３００４号、２００２−５２９９６号、２００２−５２９９５号、２００２−５２９９４号、または従来技術で提示したＭＰ３機能を有するバッテリパック装置などに広く適用できる。
【００８５】
この実施例は、バッテリパックの表面に、超音波治療のための電極が提供される。使用者は、移動通信端末機で超音波治療メニューを選択し、適切なレベルを選択した後、開始命令を下す。その後、超音波電極を顔面のような皮膚に接触させると、接触を検出し、この電極に超音波を提供する。
【００８６】
図６は同実施例の全体構造を概略的に説明するブロック図である。
【００８７】
図示のように、本実施例は、携帯電話本体１０とインターフェースする通信インターフェース部３０と、携帯電話本体１０に電源を供給する電源供給端子４０と、前記電源供給端子４０に直流電源を供給する少なくとも一つのバッテリセル２３１、２３２と、前記電源供給端子４０に供給される電力を検出する検出部６１０と、メインプログラムが記憶されるメモリ６２０と、端末機本体側に付加機能を提供する付加回路部２２０と、前記メインプログラムにより制御され、前記通信インターフェース部からの操作データにより前記付加回路部２２０を制御する付加機能処理部２１２、および前記検出部６１０で検出された電力によってバッテリパック２０側の回路の消耗電力水準を連動して制御する電源制御部２１３を含む制御部２１０とを含む。
【００８８】
好ましい一実施例において、前記携帯電話本体１０には、バーチャルマシンにより実行される応用プログラムが搭載されて、超音波治療機能を制御する。第２制御部２８０は、携帯電話に通常搭載される複合制御チップ、たとえばＣＤＭＡ方式の携帯電話の場合、クアルコム社のＭＳＭ系列チップに含まれた汎用マイクロプロセッサに相当する。携帯電話本体１０は、付加機能にも必要な使用者操作命令を入力するキーパッド２５０と、操作情報および結果データが表示される表示部２６０とを含む。さらに、自体消耗電力を管理するハードウェアとソフトウェアを含む電源供給部２４０を含む。このような携帯電話本体１０のハードウェア的構成は本願発明の出願日以前に広く知られたものであり、バーチャルマシンによる応用プログラム関連技術も既に開発者ツールが普及されているので、当業者であれば必要に応じて具現することができる。
【００８９】
バッテリパック２０は通常のバッテリセル２３１、２３２を多数含み、これらから直流電源を電源供給端子４０を介して本体１０側に供給する。本発明の一実施例によるバッテリパック２０は、通常の電源供給端子４０のほかに、通信インターフェース３０を含む。好ましい一実施例において、電源供給端子４０と通信インターフェース３０は物理的に同一なコネクタで具現され、携帯電話本体１０にバッテリパック２０を装着するとき、バッテリパックの装着面と本体側の対応装着面に電気的に接続されるように取り付けられる。本実施例において、通信インターフェース３０はＵＳＢ直列通信プロトコールで具現される。しかし、本発明はこれに限定されなく、携帯電話本体が支援する多様な外部インターフェースに拡張できる。
【００９０】
本発明の特徴的な様相によると、バッテリセル２３１、２３２から本体に供給される電力を検出するための検出部６１０が提供される。この検出部６１０は、たとえば供給される電流を検出するための電流計６１１を含む。電圧がほぼ一定に維持されるときに供給される電流量は本体側の動作状態を間接的に把握し得る有力な根拠となる。検出部６１０は電圧計６１２をさらに含むことができ、これはバッテリセル２３１、２３２の充放電状態をチェックする基礎となり得る。
【００９１】
付加回路部２２０は、バッテリパック２０が支援する付加機能の種類によって、多様な回路を含むことができ、アナログ回路および／またはデジタル回路を含む。本実施例において、付加回路部２２０は、第１制御部２１０の制御信号に応じて超音波駆動信号を発生する超音波駆動部２２１と、この超音波駆動部２２１の駆動信号に応じて、圧電セラミック振動子の両面に密着して一体に形成された電極に電界を印加して超音波振動を発生する超音波振動子電極５１０、５３０とを含む。また、超音波駆動部２２１は、皮膚に接触しないときの振動は不要な熱を発生し電力消耗の原因となるため、これを遮断するため、超音波振動子電極５１０、５３０との皮膚接触を検出する回路として、たとえば温度センサ２２２を含む。このような超音波駆動回路と振動子を含む超音波皮膚美容回路は本発明の出願日以前に多様な形態が知られているので、その詳細な説明は省略する。
【００９２】
第１制御部２１０はこのようなバッテリパック２０の回路を総括して制御するが、好ましい実施例において、検出部６１０からのアナログ信号をデジタルに変換する複数チャンネルのアナログ／デジタル変換器と、所要コアプログラムを記憶するＥＥＰＲＯＭと、通信インターフェース３０のためのインターフェースとをワンチップで内蔵する汎用マイクロプロセッサであることが好ましい。このようなマイクロプロセッサは多様なメーカから商業的に入手可能である。
【００９３】
メモリ６２０は第１制御部２１０と同一チップに含まれることができ、バッテリパック２０の制御に必要なメインプログラムを記憶する。このメインプログラムは、付加機能を提供するのに必要なプログラムルーチンと、本発明の特徴的な様相である電源制御機能を提供するのに必要なプログラムルーチンとを含む。このようなプログラムを実行することにより、第１制御部２１０は、たとえば超音波美容治療、低周波治療、ＭＰ３音楽再生、カラオケ機能などを提供する付加機能処理部２１２と、電源管理を制御する電源制御部２１３とから構成できる。
【００９４】
以下では、第２制御部２８０を制御する応用プログラムと、メモリ６２０に記憶されて第１制御部２１０を制御するメインプログラムの処理内容を説明する。まず、携帯電話本体１０側の応用プログラムは、キーパッド２５０をスキャンし、付加機能が選択されると、可能な付加機能の目録を表示部２６０に表示する。その後、キーパッド２５０を介して超音波皮膚美容機能が選択されると、通信インターフェース３０を介してバッテリパック２０側に超音波皮膚美容機能の実行を要請する。
【００９５】
第１制御部２１０は、この要請を接受すると、付加機能を提供するルーチンをローディングするか、またはそのルーチンの開始へ実行を分岐して付加機能処理部２１２の機能を処理する。まず、温度センサ２２２を周期的に読み、超音波振動子電極５１０、５３０が皮膚に接触したと判断されると、超音波駆動部２２１へ駆動開始信号を出力する。アナログ発振回路と増幅回路を含む超音波駆動部２２１は、これにより発振を開始し、両面の電極に駆動電圧を受けた超音波振動子電極５１０、５３０は超音波振動を行うことになる。
【００９６】
一方、付加機能を提供していない場合に電源制御部２１３が実行される。電源制御部２１３は、第１制御部２１０が電力消耗の大きい活性状態または電力消耗最少の非活性状態、ひいては電源消耗の殆どない休眠状態であるときにも、周期的に実行される。電源制御部２１３は、検出部６１０の電流計６１１を読み、電源供給端子４０を介して携帯電話本体１０側に供給される電流量を測定する。電流量が一定値以下であると、携帯電話が非活性状態であり、よってバッテリパック２０に含まれた付加機能の使用可能性がないので、たとえばバッテリパック２０側の回路に供給される電源を遮断して自体電力消耗を減らす。
【００９７】
携帯電話は非活性状態でも周期的に基地局と通信して電力消耗が変化するため、このような電力消耗の変化を正確に検出するためには、現在のバッテリの充放電状態と電流量を共に考慮して判断することが好ましい。したがって、好ましい一実施例において、バッテリの充放電状態を検出するため、検出部６１０は電圧計６１２を含む。
【００９８】
電源制御部２１３電源を管理するモードは、簡単には付加回路の電源を全く遮断するモードと１００％供給するモードの２モードが可能である。このため、超音波駆動部２２１の全体ブロックの電力を供給する電力ラインが、たとえばアナログスイッチを介して供給され、第１制御部がこのスイッチを操作して電源供給を制御することができる。また、多くの統合マイクロプロセッサが内蔵された周辺装置回路に対する電源管理モードを支援するので、これらをソフトウェア的プログラミングによりさらに制御することにより、より効率よく電力消耗を管理することができる。ひいては、マイクロプロセッサ自体の供給クロックを調節して自体電力消耗を管理することにより、もっと効率よく電力消耗を管理することができる。このような周辺装置およびマイクロプロセッサの電源管理技術自体は本発明の出願日以前に当業界に公知のものであるので、その詳細な説明は省略する。
【００９９】
図７は本発明のさらにほかの実施例によるバッテリパック装置を含む携帯電話の全体構成を概略的に示すブロック図である。ここで、前述した実施例と同一であるか対応する構成要素には同一符号が付けられている。
【０１００】
本実施例は、携帯用端末機本体１０とインターフェースする通信インターフェース部３０と、携帯用端末機本体１０に電源を供給する電源供給端子４０と、前記電源供給端子４０に直流電源を供給する少なくとも一つのバッテリセル２３１、２３２と、メインプログラムを記憶するメモリ６２０と、携帯用端末機本体側に付加機能を提供する付加回路部２２０と、前記メインプログラムにより制御され、前記通信インターフェース部３０からの操作命令に応じて前記付加回路部を制御する付加機能処理部２１２を有する第１制御部２１０とを含む携帯用端末機のバッテリパック装置において、前記第１制御部２１０が前記通信インターフェース部３０から受信した本体側電力管理モード命令に応じてバッテリパック側の回路の消耗電力水準を制御する電源制御部２１３をさらに含むことを特徴とする。
【０１０１】
本実施例は、前述した実施例とは異なり、供給電力を検出部で検出して判断せずに、携帯電話本体１０側で実行されるプログラムの判断によって制御する。すなわち、携帯電話本体１０側には常に実行される応用プログラムがあるので、周期的に、あるいはイベントの発生時ごとに本体側の電力管理モードを把握する。電力管理モードが変わると、バッテリパック２０側にも、同一または対応電力管理モードに変更できるように、通信インターフェース３０を介して、電力管理モードを変更することを命令する命令データを送信する。これにより、第１制御部２１０に含まれた電源制御部２１３は、自体電力管理のためのハードウェア、たとえば前述した実施例で言及したアナログスイッチを制御して付加回路部２２０の供給電力を遮断し、自体クロックを調節し、集積された周辺装置回路の供給電力も連動して遮断する。
【０１０２】
［構成３］
以下では、図８以下に基づき、チップカードが内蔵された移動通信端末機で採択可能なインターフェース用コネクタの実施例を説明する。
【０１０３】
図８はバッテリパック内蔵回路と移動通信端末機本体を連結する通信用コネクタ構造の一例を示す断面図である。
【０１０４】
図８に示すように、本発明は、所定形態の外観を形成するハウジング８１９、および前記ハウジング８１９に設けられ、一端８１５がスマートカード８０９の底面の各端子８１１に電気的に接続され、他端８２１が前記移動通信端末機のプリント基板８２５の各端子８２３に電気的に接続される端子部８１７からなる第１コネクタ部と、前記スマートカード８０９が挿入され、前記スマートカード８０９の上下面の少なくとも一部を密着して取り囲むクリップ部材８０７、前記クリップ部材８０７の上面に設けられ、バッテリパック８０１の底面に設けられるバッテリパック内蔵回路からの各端子８０３に電気的に接続される上部接続部８０５、前記クリップ部材８０７の下面に設けられ、前記スマートカード８０９の底面の少なくとも一つの端子８１１に電気的に接続される下部接続部８１３、および前記上部接続部１０５と前記下部接続部８１３を電気的に連結する連結部（図示せず）からなる第２コネクタ部とを含んでなることを特徴とする。
【０１０５】
第１コネクタ部は、スマートカード８０９の底面に設けられる端子８１１と移動通信端末機本体のプリント基板８２５に設けられる端子８２３間の電気的な接続のために使用される公知のスマートカードコネクタ（ソケット）に相当するので、その詳細な説明は省略する。
【０１０６】
本発明によると、スマートカード８０９がクリップ部材８０７に挿入される。たとえば、スマートカード８０９がクリップ部材８０７に締りばめで挿入される。クリップ部材８０７はスマートカード８０９により遮られるプリント基板８２５の通信用端子８２３をバッテリパック装着面に位置させるためのものである。このクリップ部材８０７の上面はバッテリパック装着面となり、クリップ部材８０７に設けられる上／下部接続部８０５、８１３および連結部により端子８０３と端子８１１が電気的に連結されるので、結局プリント基板８２５の通信用端子８２３とバッテリパック内蔵回路からの各端子８０３を電気的に連結することになる。
【０１０７】
一方、本発明のさらにほかの様相によると、前記移動通信端末機のプリント基板８２５に設けられるマイクロプロセッサ（図示せず）が、前記スマートカード８０９へ第１イネーブル信号を出力し（１２０１）、前記バッテリパック内蔵回路１２０４へ第２イネーブル信号を出力する（１２０３）ことを特徴とする（図１２参照）。
【０１０８】
すなわち、本体側のマイクロプロセッサは、同一端子を介して電気的に接続されたスマートカードとバッテリパック内蔵回路へイネーブル信号を出力する。前記イネーブル信号が入力される場合、スマートカードとバッテリパック内蔵回路が動作するので、ソフトウェア的に伝送されるデータの衝突を防止することができる。
【０１０９】
一方、本発明の補助的な様相によると、前記連結部が、前記クリップ部材の表面にプリントされるパターン（図１７の１７０７参照）であることを特徴とする。このように、本発明においては、クリップ部材８０７の上下部接続部８０５、８１３をパターンプリンティングで電気的に連結するので、既存のスマートカード装着構造の変形なしで非常に簡単に具現することができる。
【０１１０】
図９〜図１１はバッテリパック内蔵回路と移動通信端末機本体を連結する通信用コネクタのほかの例を示す断面図である。図９〜図１１に基づく説明において、無駄に重複する構成についての説明は省略する。
【０１１１】
図９に示すように、本発明は、スマートカードスロットを有する移動通信端末機において、所定形態の外観を形成するハウジング９１５、および前記ハウジング９１５に設けられ、一端９１７がスマートカードの底面の各端子（図示せず）に電気的に接続され、他端９１９が前記移動通信端末機のプリント基板９２５の各端子９２３に電気的に接続される端子部９２１からなる第１コネクタ部と、装着されるスマートカードの上面の少なくとも一部を取り囲んで前記スマートカードを固定する固定部９１１を少なくとも有する着脱ガイド部と、前記固定部９１１の上面に設けられ、バッテリパックの底面に設けられるバッテリパック９０１の内蔵回路（図示せず）の各端子９０３に電気的に接続される上部接続部９０５、前記第１コネクタ部の端子部９２１の少なくとも一つの一端９１７または少なくとも一つの他端９１９または前記プリント基板の少なくとも一つの端子９２３のいずれか一つに電気的に接続される下部接続部９０９、および前記上部接続部９０５と下部接続部９０９を電気的に連結する連結部からなる第２コネクタ部とを含んでなることを特徴とする。
【０１１２】
第１コネクタ部は、スマートカード（図示せず）の底面に設けられる端子（図示せず）と移動通信端末機本体のプリント基板９２５に設けられる端子９２３間の電気的接続のために使用される公知のスマートカードコネクタ（ソケット）に相当するので、その詳細な説明を省略する。
【０１１３】
着脱ガイド部も、スマートカードの装着をガイドし、これを固定するため、移動通信端末機ハウジングまたはスマートカードコネクタなどに提供される公知の技術に相当するので、その詳細な説明を省略する。
【０１１４】
一方、前記着脱ガイド部の固定部９１１の上面には、バッテリパックの底面に設けられるバッテリパック９０１の内蔵回路（図示せず）の各端子９０３に電気的に接続される上部接続部９０５が設けられる。上部接続部９０５は、スマートカードにより遮られたプリント基板９２５の通信用端子９２３をバッテリパック装着面に位置させるためのものである。この固定部９１１の上面はバッテリパック装着面となり、第２コネクタ部に設けられる上／下部接続部９０５、９０９および連結部９０７により、端子９０３とプリント基板９２５の通信用端子９２３が電気的に連結される。
【０１１５】
図９の実施例においては、下部接続部９０９が第１コネクタの接続端子９２１の上部接続面９１７に電気的に連結されるものと示されているが、場合によっては、下部接続面９１９またはプリント基板９２５の通信用端子９２３に電気的に連結させる構成も可能である。
【０１１６】
一方、図９および図１０の実施例においては、前記連結部が折曲成形された弾性片であることを特徴とする。このように、本発明は、移動通信端末機の製造分野で弾性片を折り曲げ、両端子間を電気的に接続する公知の方式により、上部接続部９０５、１００５と下部接続部９０９、１００９間を電気的に連結するので、既存のスマートカード装着構造の変形なしで非常に簡単に具現することができる。
【０１１７】
図１１の実施例においては、前記連結部が前記移動通信端末機の当該面上にプリントされるパターンであることを特徴とする。
【０１１８】
このように、本発明においては、移動通信端末機の製造分野で両端子間をパターンプリンティングで電気的に接続する公知の方式により、上部接続部１１０５と下部接続部１１０９を互いに電気的に連結するので、既存のスマートカード装着構造の変形なしで非常に簡単に具現することができる。
【０１１９】
図１０の実施例は、スマートカードの着脱をガイドし、これを固定するための着脱ガイド部が第１コネクタに一体型に製作されたものである。
【０１２０】
図１３はバッテリパック内蔵回路と移動通信端末機本体を連結する通信用コネクタ構造をほかの例を示す断面図である。図１３に基づく説明において、無駄に重複する構成についての説明は省略する。
【０１２１】
図１３に示すように、本発明は、スマートカードスロットを有する移動通信端末機において、所定形態の外観を形成するハウジング１３１９、および前記ハウジング１３１９に設けられ、一端１３１５がスマートカード１３０９の底面の各端子１３１１に電気的に接続され、他端１３２１が前記移動通信端末機のプリント基板１３２５のスマートカード通信用端子１３２３に電気的に接続される端子部１３１７からなる第１コネクタ部と、前記スマートカード１３０９が挿入され、前記スマートカード１３０９の上下面の少なくとも一部を密着して取り囲むクリップ部材１３０７、前記クリップ部材１３０７の上面に設けられ、バッテリパック１３０１の底面に設けられるバッテリパック内蔵回路（図示せず）からの各端子１３０３に電気的に接続される上部接続部１３０５、前記クリップ部材１３０７の下面に設けられ、前記プリント基板１３２５に設けられるバッテリパック内蔵回路通信用端子１３２７に電気的に接続される下部接続部１３１３、および前記上部接続部１３０５と前記下部接続部１３１３を電気的に連結する連結部（図示せず）からなる第２コネクタ部とを含んでなることを特徴とする。
【０１２２】
第１コネクタ部は、スマートカード１３０９の底面に設けられる端子１３１１と移動通信端末機本体のプリント基板１３２５に設けられる端子１３２３間の電気的な接続のために使用される公知のスマートカードコネクタ（ソケット）に相当するので、その詳細な説明は省略する。
【０１２３】
本発明によると、スマートカード１３０９がクリップ部材１３０７に挿入される。たとえば、スマートカード１３０９がクリップ部材１３０７に締りばめで挿入される。クリップ部材１３０７はスマートカード１３０９により遮られるプリント基板１３２５の通信用端子１３２３をバッテリパック装着面に位置させるためのものである。このクリップ部材１３０７の上面はバッテリパック装着面となり、クリップ部材１３０７に設けられる上／下部接続部１３０５、１３１３および連結部により端子１３０３と端子１３２７が電気的に連結されるので、結局プリント基板１３２５の通信用端子１３２３とバッテリパック内蔵回路からの各端子１３０３を電気的に連結することになる。
【０１２４】
この際、移動通信端末機の本体ハウジングは、スマートカードを装着するための空間を、クリップ部材１３０７の厚さの分だけ大きくし、クリップ部材１３０７の下部接続部１３１３と本体プリント基板の端子１３２７間の電気的接続のための空間の分だけ、公知の第１コネクタを外部に露出させるためのハウジング孔を広く設計することもできる。また、場合によっては、移動通信端末機の本体ハウジングは自体伸縮性を有するので、前記スマートカードを装着させるための空間構造を変形させずにそのままで活用することもできる。
【０１２５】
また、プリント基板においては、バッテリパック内蔵回路との通信のための端子１３２３のみをさらに備えているとよい。プリント基板の空間活用を最小にし、接続の堅牢性のための方案として、移動通信端末機回路設計で通常に活用する雌／雄型のＢｏａｒｄ−ｔｏ−Ｂｏａｒｄコネクタを使用することができる。
【０１２６】
一方、本発明のさらにほかの様相によると、前記移動通信端末機のプリント基板に、前記プリント基板に設けられるマイクロプロセッサ１６０１と前記スマートカード８０９間で伝送されるデータをバッファリングする第１バッファ部１６０３と、前記マイクロプロセッサ１６０１と前記バッテリパック内蔵回路１２０４間で伝送されるデータをバッファリングする第２バッファ部１６０７とを含むことを特徴とする。
【０１２７】
これは、移動通信端末機においては、従来のスマートカードとともにバッテリパック内蔵回路と通信を行うので、伝送されるデータを中途でバッファリングすることができ、本体のマイクロプロセッサとこの二つの構成部間の円滑な通信を可能にするためである。マスター装備と二つのスレーブ装備間の円滑なデータ伝送のため、各スレーブ装備別に別途のバッファリングを具現する技術は既に公知のものであるので、その詳細な説明は省略する。
【０１２８】
図１４および図１５は、バッテリパック内蔵回路と移動通信端末機本体を連結する通信用コネクタ構造のほかの例を示す断面図である。図１４および図１５に基づく説明において、無駄に重複する構成についての説明は省略する。
【０１２９】
図１４に示すように、本発明は、スマートカードスロットを有する移動通信端末機において、所定形態の外観を形成するハウジング１４１５、および前記ハウジング１４１５に設けられ、一端１４１７がスマートカード（図示せず）の底面の各端子に電気的に接続され、他端１４１９が前記移動通信端末機のプリント基板１４２５の各端子１４２３に電気的に接続される端子部１４２１からなる第１コネクタ部と、装着されるスマートカードの上面の少なくとも一部を取り囲んで前記スマートカードを固定する固定部１４１１を少なくとも有する着脱ガイド部と、前記固定部１４１１の上面に設けられ、バッテリパック１４０１の底面に設けられるバッテリパック内蔵回路（図示せず）の各端子１４０３に電気的に接続される上部接続部１４０５、前記プリント基板に設けられるバッテリパック内蔵回路通信用端子１４２７に電気的に接続される下部接続部１４０９、および前記上部接続部１４０５と下部接続部１４０９を電気的に連結する連結部１４０７からなる第２コネクタ部とを含んでなることを特徴とする。
【０１３０】
第１コネクタ部は、スマートカード（図示せず）の底面に設けられる端子（図示せず）と移動通信端末機本体のプリント基板１４２５に設けられる端子１４２３間の電気的接続のために使用される公知のスマートカードコネクタ（ソケット）に相当するので、その詳細な説明を省略する。
【０１３１】
着脱ガイド部も、スマートカードの装着をガイドし、これを固定するため、移動通信端末機ハウジングまたはスマートカードコネクタなどに提供される公知の技術に相当するので、その詳細な説明を省略する。
【０１３２】
一方、前記着脱ガイド部の固定部１４１１の上面には、バッテリパックの底面に設けられるバッテリパック１４０１の内蔵回路（図示せず）の各端子１４０３に電気的に接続される上部接続部１４０５が設けられる。上部接続部１４０５は、スマートカードにより遮られたプリント基板１４２５の通信用端子１４２７をバッテリパック装着面に位置させるためのものである。この固定部１４１１の上面はバッテリパック装着面となり、第２コネクタ部に設けられる上／下部接続部１４０５、１４０９および連結部１４０７により、端子１４０３とプリント基板１４２５のバッテリパック間通信用端子１４２７が電気的に連結される。
【０１３３】
図１４の実施例において、前記連結部１４０７は折曲成形された弾性片であることを特徴とする。このように、本発明は、移動通信端末機の製造分野で弾性片を折り曲げ、両端子間を電気的に接続する公知の方式により、上部接続部１４０５と下部接続部１４０９間を電気的に連結するので、既存のスマートカード装着構造の変形なしで非常に簡単に具現することができる。
【０１３４】
図１５の実施例においては、前記連結部が前記移動通信端末機の当該面上にプリントされるパターンであることを特徴とする。このように、本発明においては、移動通信端末機の製造分野で両端子間をパターンプリンティングで電気的に接続する公知の方式により、上部接続部１５０５と下部接続部１５０９を互いに電気的に連結するので、既存のスマートカード装着構造の変形なしで非常に簡単に具現することができる。
【０１３５】
図１７は本発明のコネクタ構造を上から見た図である。
【０１３６】
参照符号１７１５は第１コネクタのハウジングを示し、参照符号１７１７は第１コネクタ端子部を示す。そして、参照符号１７０５はスマートカードを固定させるための固定部上面に設けられる第２コネクタの上部接続部を示し、参照符号１７０７は前記上部接続部１７０５を下部接続部（図示せず）に電気的に連結させるためのパターンを示す。
【産業上の利用可能性】
【０１３７】
以上に詳細に説明したように、本発明は、移動通信端末機本体の金型を最小に修正するか、あるいは何の修正もなしで、かつ最小限のハードウェアのみを付け加えるか、あるいは何の付け加えもなしで、バッテリパックの付加機能を支援し得る優れた作用効果がある。
【０１３８】
以上に詳細に説明したように、本発明は、本体側の電力管理モードに連動して、バッテリパックに含まれた回路の消耗電力を制御することにより、バッテリパックに付加機能が含まれてバッテリの連続使用時間が短縮される問題点を非常に効率よく緩和した。
【０１３９】
さらに、本発明は、本体側に供給される電力を間接的に測定するか、あるいは本体側に含まれた応用プログラムから受けた本体側動作モードによって、バッテリパックに含まれた回路の消耗電力を制御することにより、本体側に連動させる非常に易くて簡単な技術的構成を提示した。
【０１４０】
前述したように、本発明によると、本体のマイクロプロセッサとの通信連結のため、移動通信端末機本体側の端子とスマートカード底面の端子が電気的に接続される公知のスマートカード装着構造において、既存の装着構造を変形せずに、スマートカードを（本発明による）クリップ部材に挿入させることにより、たとえばクリップ部材をスマートカードに締りばめすることにより、前記クリップ部材に設けられる上／下接続部により、バッテリパック内蔵回路の端子と移動通信端末機のプリント基板の端子が電気的に接続可能になる。
【０１４１】
また、本体側のマイクロプロセッサからのイネーブル信号に応じてスマートカードとバッテリパック内蔵回路が動作を開始するので、スマートカード底面の端子およびバッテリパック内蔵回路の端子が移動通信端末機本体の同一端子に電気的に接続されるが、ソフトウェア的に伝送されるデータの物理的な衝突を防止し得ることになる。
【０１４２】
また、本体のマイクロプロセッサとの通信連結のため、移動通信端末機本体側の端子とスマートカード底面の端子が電気的に接続される公知のスマートカード装着構造において、バッテリパックの底面に設けられるバッテリパック内蔵回路からの各端子が、装着されるスマートカードの上面の少なくとも一部を取り囲む従来のスマートカード固定部の上面で電気的に接続され、既存のプリント基板端子との連結構成を活用して、バッテリパック内蔵回路の端子と移動通信端末機のプリント基板の端子の電気的接続が可能になる。
【０１４３】
また、本体のマイクロプロセッサとの通信連結のため、移動通信端末機本体側の端子とスマートカード底面の端子が電気的に接続される公知のスマートカード装着構造において、既存の装着構造を変形せずに、前記スマートカードに（本発明による）クリップ部材を締りばめさせることにより、前記クリップ部材に設けられる上／下接続部により、バッテリパック内蔵回路の端子と移動通信端末機のプリント基板の別途の端子が電気的に接続可能になる。この際、移動通信端末機の本体ハウジングは、スマートカードを装着するための空間をクリップ部材の厚さの分だけ大きくすることができ、また、場合によっては、移動通信端末機の本体ハウジングは自体伸縮性を有するので、前記スマートカードを装着させるための空間構造を変形させずにそのままで活用することもできる。また、クリップ部材の下部接続部と本体プリント基板の端子間の電気的接続のための空間の分だけ、公知の第１コネクタを外部露出させるためのハウジング孔を広く設計するとよい。
【０１４４】
また、プリント基板は、バッテリパック内蔵回路との通信のための端子のみを備えているとよい。プリント基板の空間活用を最小にし、接続の堅牢性のための一方案として、移動通信端末機回路設計で通常活用する雌／雄型Ｂｏａｒｄ−ｔｏ−Ｂｏａｒｄコネクタを使用することができる。
【０１４５】
また、本体のマイクロプロセッサとの通信連結のため、移動通信端末機本体側の端子とスマートカード底面の端子が電気的に接続される公知のスマートカード装着構造において、バッテリパックの底面に設けられるバッテリパック内蔵回路の各端子が、装着されるスマートカードの上面の少なくとも一部を取り囲む既存のスマートカード固定部の上面で電気的に接続され、（本発明による）上／下接続部により、バッテリパック内蔵回路の端子と移動通信端末機のプリント基板の別途の端子が電気的に接続可能になる。この際、前記上／下接続部としては折曲弾性片またはパターンを使用することができるので、非常に簡単に具現することができ、プリント基板はバッテリパック内蔵回路との通信のための端子のみをさらに備えているとよい。
【０１４６】
また、移動通信端末機においては、従来のスマートカードとともにバッテリパック内蔵回路との通信を行うので、伝送されるデータを中途でバッファリングすることができ、本体のマイクロプロセッサと二つの構成部材間の円滑な通信が可能になる。
【図面の簡単な説明】
【０１４７】
【図１】本発明者が先出願した発明の全体構造を概略的に説明するブロック図である。
【図２】本発明の好ましい一実施例による移動通信端末機の全体構成を概略的に示す。
【図３ａ】本発明の第１実施例による送受信部の外観を示す。
【図３ｂ】同実施例の変復調部と送受信部の構成を概略的に示す。
【図４】本発明の第２実施例による送受信部の構成を概略的に示す。
【図５】本発明の第３実施例による美容治療装置の外観を概略的に示す図である。
【図６】同実施例の全体構造を概略的に説明するブロック図である。
【図７】本発明のさらにほかの実施例によるバッテリパック装置を含む携帯電話の全体構成を概略的に示すブロック図である。
【図８】バッテリパック内蔵回路と移動通信端末機本体を連結する通信用コネクタ構造の一例を示す。
【図９】バッテリパック内蔵回路と移動通信端末機本体を連結する通信用コネクタ構造の一例を示す。
【図１０】バッテリパック内蔵回路と移動通信端末機本体を連結する通信用コネクタ構造の一例を示す。
【図１１】バッテリパック内蔵回路と移動通信端末機本体を連結する通信用コネクタ構造の一例を示す。
【図１２】スマートカードおよびバッテリパック内蔵回路と移動通信端末機本体のマイクロプロセッサ間の回路の一例を示す。
【図１３】バッテリパック内蔵回路と移動通信端末機本体を連結する通信用コネクタ構造の一例を示す。
【図１４】バッテリパック内蔵回路と移動通信端末機本体を連結する通信用コネクタ構造の一例を示す。
【図１５】バッテリパック内蔵回路と移動通信端末機本体を連結する通信用コネクタ構造の一例を示す。
【図１６】図１６はスマートカードおよびバッテリパック内蔵回路と移動通信端末機本体のマイクロプロセッサ間の回路の一例を示す。
【図１７】図１７は本発明のコネクタ構造を上から見た図である。
【図１８】スマートカードを移動通信端末機に装着するための構成を示す。
【図１９】スマートカードを移動通信端末機に装着するための構成を示す。
【図２０】スマートカードを移動通信端末機に装着するための構成を示す。
【図２１】スマートカードを移動通信端末機に装着するための構成を示す。
【図２２】スマートカードを移動通信端末機に装着するための構成を示す。
【図１】
2006510330.tif 000003
【図２】
2006510330.tif 000004
2006510330.tif 000005
【図３ｂ】
2006510330.tif 000006
【図４】
2006510330.tif 000007
【図５】
2006510330.tif 000008
【図６】
2006510330.tif 000009
【図７】
2006510330.tif 000010
【図８】
2006510330.tif 000011
【図９】
2006510330.tif 000012
【図１０】
2006510330.tif 000013
【図１１】
2006510330.tif 000014
【図１２】
2006510330.tif 000015
【図１３】
2006510330.tif 000016
【図１４】
2006510330.tif 000017
【図１５】
2006510330.tif 000018
【図１６】
2006510330.tif 000019
【図１７】
2006510330.tif 000020
【図１８】
2006510330.tif 000021
【図１９】
2006510330.tif 000022
【図２０】
2006510330.tif 000023
【図２１】
2006510330.tif 000024
【図２２】
2006510330.tif 000025
【国際調査報告】
2006510330.tif 000026
2006510330.tif 000027